【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
第１の環状成分および任意の第２の環状成分を、開環重合（ＲＯＰ）プロセスを使用して重合させ、ホモポリマーまたはコポリマーを生成することと、
少なくとも１つの触媒および任意要素の開始剤を用い、環状酸無水物と、前記ホモポリマーまたはコポリマーの末端成長ヒドロキシル基とを反応させ、遊離酸末端基を生成することと、を含み、
前記重合および反応は、１個の容器の中で、無希釈条件および標準的な圧力および湿度で行われる、プロセス。
【請求項２】
前記環状酸無水物は、無水フタル酸、無水トリメリット酸、無水マレイン酸、無水ヘキサヒドロフタル酸、無水グルタル酸、無水イタコン酸、無水メチルヘキサヒドロフタル酸、無水メチルテトラヒドロフタル酸、無水テトラヒドロフタル酸、無水テトラクロロフタル酸、ピロメリット酸二無水物、無水ヒム酸、無水コハク酸、無水テトラブロモフタル酸、無水ドデセニルコハク酸および無水クロレンド酸からなる群から選択される、請求項１に記載のプロセス。
【請求項３】
前記少なくとも１つの触媒が、求核性エステル交換系の２つの要素を含む、請求項１に記載のプロセス。
【請求項４】
前記少なくとも１つの触媒が、４−（ジメチルアミノ）ピリジン（ＤＭＡＰ）およびＤＭＡＰ：ＨＸを含み、ＨＸは、ＨＣｌ、ＨＢｒ、硫酸、硝酸、リン酸、ギ酸、酢酸、トリフルオロ酢酸、トリクロロ酢酸、トリフルオロメタンスルホン酸、およびこれらの組み合わせからなる群から選択される、請求項３に記載のプロセス。
【請求項５】
前記ＨＸが、ＤＭＡＰ：ＨＯ３ＳＣＦ３を含む、請求項４に記載のプロセス。
【請求項６】
前記少なくとも１つの任意要素の開始剤がモノアルコールを含む、請求項１に記載のプロセス。
【請求項７】
前記少なくとも１つの任意要素の開始剤が、ヘキサノール、メチルアルコール、エチルアルコール、プロピルアルコール、アリルアルコール、シクロ−ヘキサノール、フルフリルアルコール、ベンジルアルコール、トリフルオロエタノール、ヘプタフルオロブタノール、ヘプタデシルフルオロオクタノール、ペンタフルオロプロパノール、ペンタフルオロブタノール、ノナフルオロヘキサノールおよびフルオロアルキルエタノールからなる群から選択される、請求項１に記載のプロセス。
【請求項８】
前記コポリマーがブロックコポリマーを含む、請求項１に記載のプロセス。
【請求項９】
前記ブロックコポリマーは、グリコリド、β−ピロピオラクトン、β−ブチロラクトン、γ−ブチロラクトン、γ−バレロラクトン、ε−カプロラクトン、Ｄ，Ｄ−ラクチド、Ｌ，Ｌ−ラクチド、Ｄ，Ｌ−ラクチド、４−（ベンジルオキシメチル）−１，３−ジオキソラン−２−オン（ＢＤＭＣ）、４−（ヒドロキシメチル）−１，３−ジオキソラン−２−オン（ＤＭＣＯＨ）、無水コハク酸、無水グルタル酸、無水マレイン酸、スチレンオキシド、シクロヘキセンオキシド、４−（スルホナトフェニル）カプロラクトン、シクロペンタン−１，２−ジカルボン酸無水物、シクロヘキセン−１，２−ジカルボン酸無水物、２，３−ビシクロ［２，２，２］オクタジカルボン酸無水物、無水フタル酸、ナフタレン−ジカルボン酸無水物、ピリジン−ジカルボン酸無水物、チオフェン−ジカルボン酸無水物、およびこれらの組み合わせからなる群から選択される第１の環状モノマーおよび第２の環状モノマーを含む、請求項７に記載のプロセス。
【請求項１０】
第３の環状モノマーをさらに含む、請求項９に記載のプロセス。
【請求項１１】
前記第３の環状モノマーが、不飽和カーボネートモノマー、対称形カーボネートモノマー、非対称形カーボネートモノマー、脂肪族カーボネートモノマー、環状カーボネートモノマー、芳香族カーボネートモノマー、脂肪族−芳香族カーボネートモノマー、脂環式カーボネートモノマー、チオ−カーボネートモノマー、イミド−カーボネートモノマー、直鎖カーボネートモノマー、分枝鎖カーボネートモノマー、置換カーボネートモノマー、官能基化されたカーボネートモノマー、およびこれらの組み合わせからなる有機モノマーの群から選択されるカーボネートを含む、請求項１０に記載のプロセス。
【請求項１２】
前記第３の環状モノマーが、以下の構造式（Ｉ）：
【化１】
2015017253.tif 000001
を有する、請求項１０に記載のプロセス。
【請求項１３】
第１の環状モノマーと、少なくとも１つの触媒および少なくとも１つの任意の開始剤とを重合させてホモポリマーを作成することと、
カーボネートモノマーと前記ホモポリマーとを重合させ、ジブロックコポリマーである第２のブロックを作成することと、
前記ジブロックコポリマーの前記第２のブロックに対して第２の環状モノマーを重合させ、末端に成長ヒドロキシル基を含むトリブロックコポリマーの第３のブロックを作成することと、
環状酸無水物と前記末端成長ヒドロキシル基とを反応させ、遊離酸末端基を生成することと、を含み、
前記重合工程および反応工程は、１個の容器の中で、無希釈条件、標準的な圧力および周囲湿度で行われる、プロセス。
【請求項１４】
前記環状酸無水物は、無水フタル酸、無水トリメリット酸、無水マレイン酸、無水ヘキサヒドロフタル酸、無水グルタル酸、無水イタコン酸、無水メチルヘキサヒドロフタル酸、無水メチルテトラヒドロフタル酸、無水テトラヒドロフタル酸、無水テトラクロロフタル酸、ピロメリット酸二無水物、無水ヒム酸、無水コハク酸、無水テトラブロモフタル酸、無水ドデセニルコハク酸および無水クロレンド酸からなる群から選択される、請求項１３に記載のプロセス。
【請求項１５】
前記第１の環状モノマーおよび前記第２の環状モノマーは、それぞれ、グリコリド、β−ピロピオラクトン、β−ブチロラクトン、γ−ブチロラクトン、γ−バレロラクトン、ε−カプロラクトン、Ｄ，Ｄ−ラクチド、Ｌ，Ｌ−ラクチド、Ｄ，Ｌ−ラクチド、４−（ベンジルオキシメチル）−１，３−ジオキソラン−２−オン（ＢＤＭＣ）、４−（ヒドロキシメチル）−１，３−ジオキソラン−２−オン（ＤＭＣＯＨ）、無水コハク酸、無水グルタル酸、無水マレイン酸、スチレンオキシド、シクロヘキセンオキシド、４−（スルホナトフェニル）カプロラクトン、シクロペンタン−１，２−ジカルボン酸無水物、シクロヘキセン−１，２−ジカルボン酸無水物、２，３−ビシクロ［２，２，２］オクタジカルボン酸無水物、無水フタル酸、ナフタレン−ジカルボン酸無水物、ピリジン−ジカルボン酸無水物、チオフェン−ジカルボン酸無水物、およびこれらの組み合わせからなる群から選択される、請求項１３に記載のプロセス。
【請求項１６】
前記第１の環状モノマーは、ε−カプロラクトンを含み、前記第２の環状モノマーは、ラクチドを含む、請求項１３に記載のプロセス。
【請求項１７】
前記少なくとも１つの触媒が、４−（ジメチルアミノ）ピリジン（ＤＭＡＰ）およびＤＭＡＰ：ＨＸを含み、ＨＸは、ＨＣｌ、ＨＢｒ、硫酸、硝酸、リン酸、ギ酸、酢酸、トリフルオロ酢酸、トリクロロ酢酸、トリフルオロメタンスルホン酸、およびこれらの組み合わせからなる群から選択される、請求項１３に記載のプロセス。
【請求項１８】
前記カーボネートモノマーが、以下の構造式（Ｉ）：
【化２】
2015017253.tif 000002
を有する、請求項１３に記載のプロセス。
【請求項１９】
前記少なくとも１つの任意要素の開始剤がモノアルコールを含む、請求項１３に記載のプロセス。
【請求項２０】
前記少なくとも１つの任意要素の開始剤が、ヘキサノール、メチルアルコール、エチルアルコール、プロピルアルコール、アリルアルコール、シクロ−ヘキサノール、フルフリルアルコール、ベンジルアルコール、トリフルオロエタノール、ヘプタフルオロブタノール、ヘプタデシルフルオロオクタノール、ペンタフルオロプロパノール、ペンタフルオロブタノール、ノナフルオロヘキサノールおよびフルオロアルキルエタノールからなる群から選択される、請求項１３に記載のプロセス。
【手続補正２】
【補正対象書類名】明細書
【補正対象項目名】発明の名称
【補正方法】変更
【補正の内容】
【発明の名称】ポリマーの無水物末端保護プロセス